【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
画像のレイヤの解像度情報の候補の数よりレイヤの数が多い場合、前記解像度情報とエンハンスメントレイヤとの対応関係を設定する設定部と、
画像を符号化して、前記設定部により設定された対応関係に関する情報を含むビットストリームを生成する符号化部と
を備える画像符号化装置。
【請求項２】
前記設定部は、前記候補の数がレイヤの数より多い場合、前記候補の先頭から順に、前記解像度情報とエンハンスメントレイヤとの対応関係を設定する
請求項１に記載の画像符号化装置。
【請求項３】
前記設定部は、前記候補の数が複数の場合、前記解像度情報とエンハンスメントレイヤとの対応関係の有無を示す情報を設定する
請求項１に記載の画像符号化装置。
【請求項４】
前記設定部は、前記候補の数が１つの場合、シーケンスパラメータセットでの解像度情報とエンハンスメントレイヤとの対応関係の更新を禁止する
請求項１に記載の画像符号化装置。
【請求項５】
画像符号化装置が、
画像のレイヤの解像度情報の候補の数よりレイヤの数が多い場合、前記解像度情報とエンハンスメントレイヤとの対応関係を設定し、
画像を符号化して、設定された対応関係に関する情報を含むビットストリームを生成する
画像符号化方法。
【請求項６】
画像のレイヤの解像度情報の候補の数よりレイヤの数が多い場合、前記解像度情報とエンハンスメントレイヤとの対応関係を設定する設定部と、
画像を符号化して、前記設定部により設定された対応関係に関する情報を含むビットストリームを生成する符号化部と
して、コンピュータを機能させるプログラム。
【請求項７】
請求項６に記載のプログラムが記録されている記録媒体。
【請求項８】
画像が符号化されて生成されたビットストリームを受け取る受け取り部と、
前記受け取り部により受け取られたビットストリームから、前記画像のレイヤの解像度情報の候補が複数あって、前記候補の数よりレイヤの数が多い場合に設定された前記解像度情報とエンハンスメントレイヤとの対応関係に関する情報を抽出する抽出部と、
前記抽出部により抽出された前記解像度情報とエンハンスメントレイヤとの対応関係に関する情報を用いて、前記受け取り部により受け取られたビットストリームを復号し、画像を生成する復号部と
を備える画像復号装置。
【請求項９】
前記候補の数がレイヤの数より多い場合、前記解像度情報とエンハンスメントレイヤとの対応関係は、前記候補の先頭から順に設定されている
請求項８に記載の画像復号装置。
【請求項１０】
前記候補の数が複数の場合、前記解像度情報とエンハンスメントレイヤとの対応関係の有無を示す情報が設定されている
請求項８に記載の画像復号装置。
【請求項１１】
前記候補の数が１つの場合、シーケンスパラメータセットでの解像度情報とエンハンスメントレイヤとの対応関係の更新が禁止されている
請求項８に記載の画像復号装置。
【請求項１２】
画像復号装置が、
画像が符号化されて生成されたビットストリームを受け取り、
受け取られたビットストリームから、前記画像のレイヤの解像度情報の候補が複数あって、前記候補の数よりレイヤの数が多い場合に設定された前記解像度情報とエンハンスメントレイヤとの対応関係に関する情報を抽出し、
抽出された前記解像度情報とエンハンスメントレイヤとの対応関係に関する情報を用いて、前記ビットストリームを復号し、画像を生成する
画像復号方法。
【手続補正２】
【補正対象書類名】明細書
【補正対象項目名】発明の名称
【補正方法】変更
【補正の内容】
【発明の名称】画像符号化装置および方法、画像復号装置および方法、プログラム、並びに記録媒体
【手続補正３】
【補正対象書類名】明細書
【補正対象項目名】０００１
【補正方法】変更
【補正の内容】
【０００１】
本開示は画像符号化装置および方法、画像復号装置および方法、プログラム、並びに記録媒体に関し、特にエンハンスメントレイヤと解像度情報のデフォルトのマッピングを改善できるようにした画像符号化装置および方法、画像復号装置および方法、プログラム、並びに記録媒体に関する。
【手続補正４】
【補正対象書類名】明細書
【補正対象項目名】００１０
【補正方法】変更
【補正の内容】
【００１０】
本開示の一側面の画像符号化装置は、画像のレイヤの解像度情報の候補の数よりレイヤの数が多い場合、前記解像度情報とエンハンスメントレイヤとの対応関係を設定する設定部と、画像を符号化して、前記設定部により設定された対応関係に関する情報を含むビットストリームを生成する符号化部とを備える。
【手続補正５】
【補正対象書類名】明細書
【補正対象項目名】００１４
【補正方法】変更
【補正の内容】
【００１４】
本開示の一側面の画像符号化方法は、画像符号化装置が、画像のレイヤの解像度情報の候補の数よりレイヤの数が多い場合、前記解像度情報とエンハンスメントレイヤとの対応関係を設定し、画像を符号化して、設定された対応関係に関する情報を含むビットストリームを生成する。
本開示の一側面のプログラムまたは記録媒体に記録されているプログラムは、画像のレイヤの解像度情報の候補の数よりレイヤの数が多い場合、前記解像度情報とエンハンスメントレイヤとの対応関係を設定する設定部と、画像を符号化して、前記設定部により設定された対応関係に関する情報を含むビットストリームを生成する符号化部として、コンピュータを機能させる。
【手続補正６】
【補正対象書類名】明細書
【補正対象項目名】００２０
【補正方法】変更
【補正の内容】
【００２０】
本開示の一側面においては、画像のレイヤの解像度情報の候補の数よりレイヤの数が多い場合、前記解像度情報とエンハンスメントレイヤとの対応関係が設定され、画像が符号化されて、設定された対応関係に関する情報を含むビットストリームが生成される。
【手続補正７】
【補正対象書類名】明細書
【補正対象項目名】００３９
【補正方法】変更
【補正の内容】
【００３９】
JMにおいては、以下に述べる、High Complexity Modeと、Low Complexity Modeの2通りのモード判定方法を選択することが可能である。どちらも、それぞれの予測モード（Mode）に関するコスト関数値を算出し、これを最小にする予測モードを当該ブロック乃至マクロブロックに対する最適モードとして選択する。
【手続補正８】
【補正対象書類名】明細書
【補正対象項目名】００７８
【補正方法】変更
【補正の内容】
【００７８】
方法１の場合、rep_format_idx_present_flagが１であるとき、vps_num_rep_formats_minus1の値は、０であり、その１つの情報は、Ｗ＊Ｈである。このとき、レイヤ１も２も、０番の情報を使うことを、復号側で推定する。
【手続補正９】
【補正対象書類名】明細書
【補正対象項目名】０１１２
【補正方法】変更
【補正の内容】
【０１１２】
また、量子化部３５より出力された量子化値は、逆量子化部３８にも入力される。逆量子化部３８は、色差信号逆量子化部５１からの輝度信号量子化パラメータおよび色差信号量子化パラメータを用いて量子化値を逆量子化する。逆量子化部３８は、逆量子化の結果得られる直交変換処理結果を逆直交変換部３９に供給する。
【手続補正１０】
【補正対象書類名】明細書
【補正対象項目名】０１２５
【補正方法】変更
【補正の内容】
【０１２５】
また、イントラ予測部４６は、画面並べ替えバッファ３２から読み出された画像と、イントラ予測処理の結果生成される予測画像とに基づいて、候補となる全てのイントラ予測モードに対してコスト関数値（詳細は後述する）を算出する。そして、イントラ予測部４６は、コスト関数値が最小となるイントラ予測モードを、最適イントラ予測モードに決定する。
【手続補正１１】
【補正対象書類名】明細書
【補正対象項目名】０１２８
【補正方法】変更
【補正の内容】
【０１２８】
このとき、動き予測・補償部４７は、画面並べ替えバッファ３２から供給される画像と予測画像とに基づいて、候補となる全てのインター予測モードに対してコスト関数値を算出し、コスト関数値が最小となるインター予測モードを最適インター予測モードに決定する。そして、動き予測・補償部４７は、最適インター予測モードのコスト関数値と、対応する予測画像を予測画像選択部４８に供給する。また、動き予測・補償部４７は、予測画像選択部４８から最適インター予測モードで生成された予測画像が選択された場合、インター予測モード情報、対応する動きベクトル、参照画像を特定する情報などを可逆符号化部３６に出力する。なお、インター予測モードとは、ＰＵのサイズなどを表すモードである。
【手続補正１２】
【補正対象書類名】明細書
【補正対象項目名】０１４３
【補正方法】変更
【補正の内容】
【０１４３】
ステップＳ４０において、iがMaxLayersMinus1以下であるか否かを判定する。ステップＳ４０において、vps_num_rep_formats_minus1が１であると判定された場合、ステップＳ４１において、設定部１１は、vps_rep_format_idx[i]を設定し、ステップＳ４０において、vps_num_rep_formats_minus1が１であると判定された場合、ステップＳ４２において、i++とし、処理は、ステップＳ４０に戻り、それ以降の処理が繰り返される。
【手続補正１３】
【補正対象書類名】明細書
【補正対象項目名】０１４７
【補正方法】変更
【補正の内容】
【０１４７】
ステップＳ６２において、画面並べ替えバッファ３２は、記憶した表示の順番のフレーム単位の画像を、GOP構造に応じて、符号化のための順番に並べ替える。画面並べ替えバッファ３２は、並べ替え後のフレーム単位の画像を、演算部３３、イントラ予測部４６、および動き予測・補償部４７に供給する。
【手続補正１４】
【補正対象書類名】明細書
【補正対象項目名】０１５７
【補正方法】変更
【補正の内容】
【０１５７】
ステップＳ７１において、逆量子化部３８は、色差信号逆量子化部５１からの輝度信号の量子化パラメータと色差信号の量子化パラメータを用いて、量子化部３５からの量子化値に対して逆量子化を行う。逆量子化部３８は、逆量子化の結果得られる直交変換処理結果を逆直交変換部３９に供給する。
【手続補正１５】
【補正対象書類名】明細書
【補正対象項目名】０２１８
【補正方法】変更
【補正の内容】
【０２１８】
ステップＳ１６６において、動き補償部１４４は、可逆復号部１３２から供給される参照画像を特定する情報に基づいて参照画像を読み出し、動きベクトルと参照画像を用いて、インター予測モード情報が示す最適インター予測モードの動き補償処理を行う。動き補償部１４４は、その結果生成される予測画像を、スイッチ１４５を介して加算部１３５に供給し、処理をステップＳ１６８に進める。